(57)【要約】座席アセンブリは、股関節／大腿部支持体、背中支持体、及び股関節／大腿部支持体と背中支持体との間の少なくとも１つの隙間を備えた座席を含む。座席パッドアセンブリは、座席上に取り外し可能に配置されており、少なくとも部分的に粘弾性フォームから作製され、寸法的に安定した織布カバーを有するフォームクッションを有する。座席に座っている人の骨盤及び背中上部領域は、粘弾性フォームを大きく変形させ、快適な支持体を提供し、座席パッドアセンブリの固定場所を定める。これらの固定場所間に外側カバーが延び、座席に座っている人の腰後方領域を効果的に支持して揺りかごのように支持する。【選択図】図１
2021526105.tif 000002
【特許請求の範囲】
【請求項１】
実質的に水平な股関節／大腿部支持体と、前記股関節／大腿部支持体から角度を付けて延びる背中支持体と、を有し、前記股関節／大腿部支持体と前記背中支持体との間に形成された少なくとも１つの隙間を有する座席と、
前記座席上に取り外し可能に配置され、少なくとも部分的に粘弾性フォームから形成されたフォームクッションを有し、前記フォームクッションを覆いかつ密に包み込む寸法的に安定した織布カバーをさらに有する座席パッドアセンブリであって、前記フォームクッションが、前記座席に座っている人の少なくとも骨盤領域及び背中上部領域の加えられた力に応じて弾性的に変形し、前記織布カバーが、前記座席に座っている人の背中の腰領域に適合して支持する、座席パッドアセンブリと、
を備える座席アセンブリ。
【請求項２】
前記織布カバーが内側カバーであり、前記座席パッドアセンブリが、前記内側カバーの上に取り付けられた外側カバーをさらに備える、請求項１に記載の座席アセンブリ。
【請求項３】
前記外側カバーが、前記座席上に配置されたときに、前記座席パッドアセンブリの滑りに抵抗する摩擦特性を備えた領域を有する、請求項２に記載の座席アセンブリ。
【請求項４】
前記内側カバーの前記織布が、綿−ポリエステル混紡糸を含む織り糸から形成される、請求項１に記載の座席アセンブリ。
【請求項５】
前記内側カバーの前記織り糸が、３２×３２〜５０×５０の単糸の糸繊度を有する、請求項４に記載の座席アセンブリ。
【請求項６】
前記内側カバーの前記織布が、約１１０×７６（縦糸と横糸）の糸密度を有する、請求項５に記載の座席アセンブリ。
【請求項７】
前記内側カバーの前記織布が、綿糸とポリエステル糸との混紡糸から形成される、請求項１に記載の座席アセンブリ。
【請求項８】
前記内側カバーの前記織り糸が、３２×３２〜５０×５０の単糸の糸繊度を有する、請求項７に記載の座席アセンブリ。
【請求項９】
前記内側カバーの前記織布が、約１１０×７６（縦糸と横糸）の糸密度を有する、請求項８に記載の座席アセンブリ。
【請求項１０】
前記粘弾性フォームが、約５ｌｂ／ｆｔ３の密度及び約４０ｌｂｆの硬度を有する、請求項１に記載の座席パッドアセンブリ。
【請求項１１】
前記フォームクッションが、全体的に粘弾性フォームからなる、請求項１に記載の座席アセンブリ。
【請求項１２】
前記座席が自動車の座席であり、前記自動車の座席が、ヘッドレストを有し、前記ヘッドレストは、前記自動車の座席の背中支持体に対して前記ヘッドレストの垂直調節を可能にするように構成されたヘッドレスト支持体によって前記背中支持体に取り付けられており、前記座席パッドアセンブリが、前記自動車の座席の前記背中支持体に前記座席パッドアセンブリの上端を固定するためのストラップを有し、前記ストラップは、前記ヘッドレスト支持体の周りに巻き付けるように配置及び寸法合わせされている、請求項１に記載の座席アセンブリ。
【請求項１３】
前記ストラップが、前記座席パッドアセンブリの両側の側縁から内側に離間した前記座席パッドアセンブリ上の場所から延びる、請求項１２に記載の座席アセンブリ。
【請求項１４】
細長い第１端部を有する第１パッドと、
前記第１パッドの前記第１端部に沿って延びる第１の可撓性フラップと、
細長い第２端部を有する第２パッドと、
前記第２パッドの前記第２端部に沿って延びる第２の可撓性フラップと、
実質的に端部と端部との関係において前記第１及び第２パッドを解放可能に保持するように、前記第１及び第２の可撓性フラップ上にそれぞれ形成された第１及び第２の解放可能に係合可能な接続構造と、
を備える、座席パッドアセンブリ。
【請求項１５】
前記第１の解放可能に係合可能な構造が、フックアンドループファスナーを含む、請求項１４に記載の座席パッドアセンブリ。
【請求項１６】
前記第１の可撓性フラップが、前記第１の可撓性フラップがそれ自体に折り畳まれて保護位置にあるときに互いに解放可能に係合可能なフック型ファスナー及びループ型ファスナーを有し、前記第２の可撓性フラップが、前記第２の可撓性フラップがそれ自体に折り畳まれて保護位置にあるときに互いに解放可能に係合可能なフック型ファスナー及びループ型ファスナーを有する、請求項１５に記載の座席パッドアセンブリ。
【請求項１７】
前記第１フォームクッション及び前記第２フォームクッションが、粘弾性フォームから形成される、請求項１４に記載の座席パッドアセンブリ。
【発明の詳細な説明】
【技術分野】
【０００１】
この出願は、２０１８年３月１日に出願された米国仮出願第６２／６３６，９６５号の優先権を主張し、その全体の開示は参照により本明細書に組み込まれる。
【０００２】
本発明は、座席をより快適にする付属品に関する。
【背景技術】
【０００３】
飛行機、電車、バス及び車などのあらゆる形態の輸送機関での移動は、快適であることがめったになく、長時間の移動は非常に不快な場合がある。座席が快適であると考えられる時間の長さは、座席の特性と旅行者の感度とによって大きく異なる。特に短時間移動向けの座席は通常、リクライニングを行わないか、リクライニングを少しだけ行うため、多くの旅行者は、輸送機関の座席で１〜２時間後に非常に不快になる。一方、大陸間フライトは、１２時間を超える可能性があり、多くのビジネスマンにとって一般的である。ほとんどのビジネス旅行者は、移動の形態に関係なく、出張の終わりに回復する時間はほとんどなく、到着後すぐにビジネス会議のために機敏に働くことが期待される。休暇旅行者は、ビジネス旅行者と同じ不便さを抱えており、休暇を楽しむことができるようになるまでにかなりの回復時間を必要としがちである。不快な移動は、航空路に限定されない。特に、電車、バス、車での旅行は、大陸間の航空旅行よりも時間がかかることがある。移動に関連する不快感はまた、車両で過ごした時間に限定されない。より具体的には、旅行者は、輸送又は出発の遅れを待っている間、航空機、電車又はバスのターミナルの非常に不快な座席で時間を過ごすことがよくある。ターミナルの座席は、飛行機、電車又はバスの座席よりも快適ではない場合が多い。多くの場合、ターミナルの座席及び輸送車両の座席には、股関節／大腿部支持体と背中支持体との間に隙間がある。
【０００４】
米国特許第７，４６１，８９４号は、航空機又は他の輸送車両での使用に特によく適している座席パッドアセンブリに関する。米国特許第７，４６１，８９４号の開示は、参照により本明細書に組み込まれる。米国特許第７，４６１，８９４号に開示された座席パッドアセンブリは、粘弾性フォームからなるか又はそれを含むフォームを備える。当該フォームは、十分な厚さ及び弾力性を有し、乗客の体の形状と、乗客の臀部が座席に載っていない状態の座席の形状と、に適合する。したがって、粘弾性フォーム座席パッドは、座席の垂直及び水平構成要素間、又は、座席の他の可動構成要素間に存在しがちな隙間に影響されることなく、乗客を座席面の上で快適に支持できるようにする。
【０００５】
米国特許第７，４６１，８９４号は、座席パッドアセンブリが粘弾性クッションの上に取り付けられたカバーを含むことを説明している。この特許は、カバーアセンブリが伸縮可能であるか、座席に形成された隙間又は他の挟み込み箇所に合わせて容易に変形できるほど十分に緩んだ状態であることを説明している。したがって、米国特許第７，４６１，８９４号に開示されているカバーアセンブリは、粘弾性材料が流動変形する能力、あるいはその逆に、座席及び旅行者の形状に適合する能力を制限も限定もしない。非制限的なカバーアセンブリは、粘弾性材料がその形状を変化させるにつれて、粘弾性材料とともに容易に移動する。
【０００６】
輸送機関の座席のための座席パッドの分野における継続的な研究によって、以前は考慮されていなかった情報がもたらされた。例えば、輸送機関の座席は、寸法、弾力性及び表面の不連続部の場所の点で互いに大きく異なり、これは、乗客の不快感につながる傾向がある。さらに、乗客も、サイズ、重量及び期待する快適性の点で互いに大きく異なる。さらにまた、乗客及び座席パッドは、パッドに沿った場所及び乗客に沿った異なる場所で互いに異なる相互作用をする。例えば、座席が傾いていないか部分的にしか傾いていない場合、乗客の骨盤領域は、パッド上で重量の集中した領域を形成し、骨盤領域は、粘弾性フォームクッションの効果から大いに恩恵を受ける。背中の上部領域は、粘弾性フォームクッションに力を加える別の領域であり、乗客が後ろにもたれたとき、及び／又は、座席がリクライニングされたとき、若しくは、部分的にリクライニングされたときに、背中上部領域はパッドの支持の恩恵を受ける。背中の腰領域は、背中の問題の影響を受けやすい領域である。しかしながら、座席が直立又は部分的にリクライニングされている場合、腰領域は座席から離れる方向に湾曲する。したがって、腰領域は、粘弾性フォームクッションに加える力が少ないか、又は、当該力がないため、粘弾性フォームクッションから受ける恩恵は少ない。したがって、背中の問題が発生する可能性が最も高い背中の領域では、一部の乗客及び一部の車両用の座席において、粘弾性フォームクッションに関連する利点が得られない場合がある。
【０００７】
輸送機関の座席のための座席パッドは、座席の水平方向の股関節／大腿部支持体の前後寸法全体に沿い、且つ、腰領域を通過して座席の背中支持体に沿って背中の上部領域まで延びている必要がある。しかしながら、長距離移動用の座席パッドは、座席がリクライニングされているときに旅行者の頭を支持し、座席がリクライニングされているとき、及び／又は、脚が上がっているときに少なくとも旅行者のふくらはぎを支持するのに十分なほど座席背部に沿って延びていることが望ましい。
【０００８】
利益的な動機から、ほとんどの航空会社が、飛行機に少なくとも１列の追加の座席列を設けるために、各座席の寸法を減少させてきた。同様の問題は、他の輸送機関の形態でも生じている。結果として、ある航空会社から別の航空会社、あるクラスから別のクラス、及び、ある輸送機関の形態から別の輸送機関の形態へと、座席の寸法には大きな違いがある。粘弾性フォームパッドのさらなる快適さを高く評価する旅行者は、旅行者の頭を支持するのに十分に座席背部に沿って延び、上昇及び延長させたレッグレスト上の脚を支持するのに十分に座席背部から前方に延びたパッドを所望する可能性がある。しかしながら、輸送機関の座席の寸法が異なるため、旅行者にとって、すべての旅行で快適さを確保するように努めることは難しい。航空座席の最大部分を収容するのに十分な長さのパッドの場合、座席がより小さい航空機にとって、又は、ほとんどの自動車にとって長すぎる。逆に、乗用車での使用に寸法を合わせたパッドは、ファーストクラスの航空座席で使用するには短すぎる可能性がある。結果として、乗客は、乗客が実際に飛行機に乗っていない旅行の期間中、大きな粘弾性フォームパッドの追加の重量及びサイズに悩むことになる。また、乗客は、航空座席の背中支持体を越える長いパッドの上部を、その座席の後ろに座っている乗客のスペースに侵入する領域に折り込むことは許可されていない。さらに、乗客は、床に延びる長いパッドにつまずきやすい。特定の旅行又は特定の輸送機関の形態で使用できる座席パッドが１つだけの場合、様々な寸法の輸送機関の座席ごとに特別なパッドが必要な乗客には、複数の座席パッドを購入するコストペナルティが発生する。航空旅行者は、航空会社にすべての座席の座席パッドを提供させるか、オプションとして旅行者が特定のフライトで借りることができる座席パッドを提供させることによって、これらの問題を解決することができる。しかしながら、今度は、航空会社が未使用のパッドを飛行機に保管するという問題を抱えることになる。さらに、少なくとも各パッドの外側カバーは、異なる旅行者による連続使用の間に洗浄する必要があり、それによって、航空会社及び消費者の両方が輸送コストに敏感であるときに、航空会社にかなりのコストペナルティが課される。この可能なアプローチは、個人の自動車での旅行には役立たない。
【０００９】
乗客の快適性及び利便性は、パッドを輸送車両に対して搬入・搬出する必要性にも影響される。パッドの総重量及びパッドの厚さは、乗客の利便性に影響を与える可能性がある。パッドの厚さのわずかな減少でさえも、その厚さの減少が着席したときの乗客の快適性に悪影響を及ぼさなければ、商業的に好評を得るだろう。
【００１０】
乗客の快適性は、パッドのカバーにも影響され得る。これに関して、米国特許第７，４６１，８９４号に開示された座席パッドアセンブリは、粘弾性フォームクッションを保護することを目的とする内側カバーと、より魅力的であり、おそらく商標又は装飾的な絵柄を有することを目的とする外側カバーと、を有する。米国特許第７，４６１，８９４号の教示は、粘弾性フォームクッションが座席上の隙間又は他の挟み込み箇所に合わせて容易に変形することを可能にするために、カバーを十分に緩く、且つ、伸縮可能にすることである。米国特許第７，４６１，８９４号は、座席パッドアセンブリが粘弾性フォームクッションの上に取り付けられたカバーアセンブリを含むことを説明している。この特許は、カバーアセンブリが伸縮可能であるか、座席に形成された隙間又は他の挟み込み箇所に合わせて容易に変形できるほど十分に緩んだ状態であることを説明している。より具体的には、従来技術の教示は、カバーアセンブリが、粘弾性材料が流動変形する能力、あるいは逆に、座席及び旅行者の形状に適合する能力を制限も限定もせず、その結果、非制限的なカバーアセンブリは、粘弾性フォーム材料がその形状を変化させるにつれて、粘弾性材料とともに容易に移動することである。しかしながら、緩い内側布地は、撚れて乗客に不快感を与える可能性がある。さらに、より良い腰支持体があれば、好評を得るだろう。
【００１１】
上記を考慮して、本発明の目的は、座席パッドアセンブリに接触する乗客のすべての領域に対して良好な支持及び快適性を提供する座席パッドアセンブリを提供することである。
【００１２】
本発明の別の目的は、背中の腰領域の支持及び快適性を強化した座席パッドアセンブリを提供することである。
【００１３】
本発明のさらなる目的は、カバーの撚れ又は皺を防止する座席パッドアセンブリを提供することである。
【００１４】
本発明のさらに別の目的は、必要以上に大きい座席パッドを乗客に携帯させることを必要とせずに、あらゆる旅行の乗客の快適性を最大にすることである。
【発明の概要】
【００１５】
本発明は、輸送機関の座席などの座席とともに使用する座席パッドアセンブリに関する。本発明はさらに、座席パッドアセンブリと輸送機関の座席などの座席との組み合わせに関する。輸送機関の座席は、航空座席だけでなく、電車、バス、及び／又は、自動車に採用されている座席であり得る。座席は、ほぼ水平な股関節／大腿部支持体と、股関節及び大腿部支持体に枢動式に取り付けられた座席背部とを含む。座席は、フットレストをさらに含んでもよい。座席背部及び／又はフットレストは、股関節／大腿部支持体に対して枢動するように取り付けられることが好ましい。したがって、背もたれと股関節／大腿部支持体との間、及び、股関節／大腿部支持体と脚用の延長部との間には、縫い目、裂け目、折り目、隙間又はスペースが存在する。装飾的な縫い目は、多くの輸送機関の座席にも存在し、座席に座っている人が感知できる表面の凹凸を形成する。これらの隙間の一部は、幅及び／又は深さが１ｃｍを超える。座席は、座席のほぼ幅分だけ互いに離間して配置されたアームレストをさらに含んでもよい。アームレスト間の間隔、すなわち、座席の幅は、輸送機関の形態及びサービスクラスによって異なる。さらに、座席のこれらの様々な構成要素の前後寸法又は垂直寸法は、座席ごと、輸送機関業者ごと、及び、サービスクラスごとに異なる。
【００１６】
座席パッドアセンブリは、粘弾性フォームからなるか又はそれを含むフォームを含む。例えば、フォームは、全体が粘弾性フォームからなっていてもよく、又は、粘弾性ではないフォームに積層された１つ以上の粘弾性材料層を有する積層構造であってもよい。あるいは、粘弾性フォームは、人が通常座る場所に配置してもよく、一方、異なるタイプのフォームを、座席パッドの側方領域の粘弾性材に接着してもよい。パッドはまた、フォームに組み込まれたゲル層又はゲルビーズを含み得る。パッドのフォームクッションは、ほぼ長方形であり得る。フォームクッションは、目的の座席の幅にほぼ対応する幅と、座席の股関節／大腿部支持体の長さと背中支持体の長さとの合計にほぼ等しい長さ（例えば、通常のエコノミークラスの座席、自動車の座席など）と、を有することができる。具体的には、エコノミークラスの旅行用の粘弾性フォームクッションは、少なくとも約４０〜５０インチの長さ、好ましくは、約４７インチの長さであり得る。エコノミークラスの旅行用の粘弾性フォームクッションはまた、幅が約１８〜２０インチ、厚さが約１インチであり得る。
【００１７】
座席パッドアセンブリはまた、必要に応じて洗浄するために粘弾性フォームクッションから取り外し可能であり得る外側カバーを備える。外側カバーは、装飾的であってもよく、こぼれた食品又は飲料に起因する汚れなどの汚れに耐える材料から形成してもよい。外側カバーの少なくとも１つの面はまた、座席上の座席パッドアセンブリの滑りに抵抗する摩擦係数を備えた領域を有することができる。例えば、外側パッドは、使用中の座席パッドアセンブリの滑り又は形崩れを防止するために、座席表面との摩擦力により固定できるエラストマー又はゴム材料で補われた局所領域を有し得る。外側カバーはまた、滑り止め特性を有するか、又は、そのような特性を有するように改良された繊維から作製され得る。座席パッドアセンブリはまた、特に洗浄中に粘弾性フォームクッションを保護する内側カバーを備えてもよい。パッドの洗濯中、内側カバーはパッド上に残っていてもよいが、取り外してパッドとは別に洗うこともできる。
【００１８】
一実施形態の内側カバー及び外側カバーの少なくとも一方は、綿織り糸、ポリエステル織り糸、綿糸とポリエステル糸との織り混紡糸、又は、寸法的に安定した他の合成織り糸（例えば、レーヨン）から作製された（綿を含むか若しくは含まない）織り糸などの織り材料から形成される。カバーは、粘弾性フォームクッションと密接に接触係合してそれを本質的に包み込むように寸法合わせされる。織り材料は、巻く及び曲がることができるが、寸法的に安定しているため、伸縮しない。織りカバーは、約１１０×７６の最小縦糸及び横糸から約１７３×１１３の最大縦糸及び横糸までの範囲の密度を有する布地で構成されてもよい。さらに、布地の糸繊度は、単糸で３２×３２〜５０×５０の範囲であり得る。さらに、布地の重量は、１平方ヤードあたり約３．４ｏｚ〜４．４ｏｚであり得る。
【００１９】
編み材料とは異なり、織布は股関節／大腿部支持体及び背中支持体の全体的な整列状態に従って曲がることがあるが、材料に加えられた力に応じて伸縮することはない。粘弾性フォームクッションにぴったりフィットする織りカバーを使用すると、粘弾性フォームクッションが取り外し可能に配置された輸送機関の座席に座っている乗客が加える力にクッションが反応する態様に大きな影響を与える。特に、粘弾性フォームは、より密度が高く、より硬いフォームのように振る舞うようになるため、輸送機関の座席の小さな裂け目及び割れ目に流れ込む可能性がやや低くなる。しかしながら、座席パッドアセンブリは、粘弾性フォームクッションに力を加える身体の領域の形状に依然として適合し、座席の表面の不連続部の上の粘弾性フォーム上で乗客を効果的に浮いた状態にすることができる。さらに、ぴったりフィットする織りカバーは、座席背部が股関節／大腿部支持体に対してほぼ直立した姿勢にあるときに、粘弾性フォームが股関節／大腿部支持体と座席背部との間の隅に流れ込むのを防止する。むしろ、ぴったりフィットする織りカバーを備えた座席パッドは、股関節／大腿部支持体と座席背部との間で鋭角に伸び、それによって、本来なら存在しないであろう支持を乗客の背中下部に与える。この追加の支持は、長時間の旅行中に不快な領域になることがよくあるほぼ腰領域にある。特に、乗客の重量は、骨盤領域及び背中上部若しくは肩甲骨が座席パッドアセンブリに力を加える場所で座席に座席パッドアセンブリを効果的に固定する。しかしながら、吊り下げのような効果又は揺りかご効果は、屈曲して並んだこれらの支持体間又は固定場所間で得られ、背中の腰領域を通って延びる。したがって、乗客の身体的機能により大きな負荷が生ずることはなく、腰領域と整列された場所において粘弾性フォーム材料が大きく変形しないような状況で、背中の腰領域は、寸法的に安定した織りカバーによって快適に支持されるか、揺りかごのように支持される。
【００２０】
上述の密接に接触係合する織り内側カバーの望ましい効果は、使用され得る任意の外側カバーによる影響を実質的に受けない。したがって、織り内側カバーを備えた粘弾性フォームクッションのアセンブリは、密接に接触係合する織り内側カバーの上述の利点を依然として達成しながら、任意の外側カバーとともに使用することができる。
【００２１】
粘弾性フォームクッションと、粘弾性フォームクッションと密接に接触係合してそれを包み囲む織りカバーとの組み合わせによって、より薄い粘弾性フォームクッションで十分なクッション性を達成することができる。パッドの厚さをわずかに低減するだけで、運搬重量を大幅に削減でき、材料コストをわずかながら大幅に削減することができる。
【００２２】
座席パッドアセンブリは、主パッドと、主パッドから取り外し可能な少なくとも１つの延長部とを含み得る。延長部はまた、粘弾性フォームと、粘弾性フォームを取り囲む内側カバーと、粘弾性フォームに取り外し可能に取り付けられた外側カバーと、を含み得る。
【００２３】
延長部は、前後方向又は垂直方向に対して横方向に延びる接続線に沿って主パッドの外側カバーに取り付けられてもよい。主パッドと延長部との間の接続領域は、延長部が主パッドとほぼ同一平面にある延長位置と、延長部が主パッドの隣接領域と実質的に面と面で接触した折り畳み状態との間で、延長部を少なくとも１８０°回転させることができるように、曲げやすくなっていることが好ましい。主パッドに対する延長部の延長位置は、座席がビジネスクラス又はファーストクラスの輸送機関の座席である場合に使用される。折り畳み状態は、座席が主パッドの長さ寸法に適合している場合に使用され得る。次に、折り畳まれたパッドは、旅行者が望む場合、ヘッドピロー又は脚用の延長部、すなわち、レッグレストとして使用することができる。
【００２４】
延長部は、好ましくは、輸送車両上で旅行者が容易に取り付け及び取り外しできる取付装置によって主パッドに取り付け可能である。これに関して、従来のジッパーを使用することが考えられるが、旅行者が便利に操作するには扱いにくい可能性がある。ジッパーの代わりに実矧ぎ接続を使用してもよいが、同様に操作が難しい場合がある。ベルクロ（登録商標）の商標で販売されているもののような、結合可能な一対のフックアンドループの布地ファスナーを使用してもよい。しかしながら、一部のフックアンドループファスナーの組み合わせのフック要素が、皮膚を刺激したり、旅行者の衣服を損傷、若しくは座席の座席カバーを損傷したりし得るという懸念がある。したがって、フラップを外側カバーに取り付ければよく、フラップは、フラップがフックアンドループファスナー装置を覆う保護位置と、フックアンドループファスナー装置が露出して相手のファスナー装置に取り付けられる使用位置と、の間を移動することができる。フラップは、パッドの外側カバーのフック又はループファスナーに取り付けることができるフック又はループファスナーを備えることができる。したがって、フラップは、保護位置に解放可能に固定することができる。外側カバー及びフラップの両方のフック又はループファスナーは、座席パッドアセンブリを横切って連続的に延びるストリップであってもよい。しかしながら、特にフラップについては、フック又はループファスナーを備えた局所領域で十分であり得る。
【００２５】
少なくとも１つの延長部は、主パッドの両側の長手方向端部に第１及び第２延長部を含み得る。各延長部は、主パッドに取り外し可能に取り付けることができる。
【図面の簡単な説明】
【００２６】
【図１】直立状態の従来技術の航空座席の正面図である。
【図２】図１の航空座席の縦断面図である。
【図３】本発明の実施形態による座席パッドアセンブリの上面図である。
【図４】図３の４−４線に沿った断面図である。
【図５】図２と同様の航空座席の縦断面図であるが、乗客が座席に座る前の座席に配置された座席パッドアセンブリを示す。
【図６】図５と同様の縦断面図であるが、航空旅客が座席パッドアセンブリに座った状態を示す。
【図７】使用時の粘弾性フォームクッション及び内側カバーの形状変化を示す概略図である。
【図８】ニットカバーを備えた従来技術の座席パッドアセンブリの圧力マッピングのグラフィック画像である。
【図９】粘弾性フォームに密接に接触係合する織布で作製されたカバーを備えた本発明の座席パッドアセンブリの圧力マッピングのグラフィック画像である。
【図１０】本発明の代替実施形態による座席パッドアセンブリの上面図であり、座席パッドアセンブリは主パッド及び延長部を含む。
【図１１】図１０に示す主パッドの端部領域の底面図である。
【図１２】図１０に示す延長部の上面図である。
【図１３】主パッドのフック型ファスナーの上に折り畳まれて取り付けられるループ型ファスナーを備えたフラップを示す拡大側面図である。
【図１４】延長部のフック型ファスナーの上に折り畳まれて取り付けられるループ型ファスナーを備えたフラップを示す拡大側面図である。
【図１５】実矧ぎ接続構造の延長部のフック型ファスナー及びループ型ファスナーと反対の関係で配置された主パッドのフック型ファスナー及びループ型ファスナーを示す分解側面図である。
【図１６】主パッドに接続された延長部を示す側面図である。本発明の実施形態による、座席パッドアセンブリの主パッドを備えた、図１の完全に直立した航空座席の正面図である。
【図１７】部分的にリクライニングされた位置にあり、図１１の座席パッドアセンブリの主パッドを備えた図１６の航空座席の側面図である。
【図１８】部分的にリクライニングされた位置にある図１７の航空座席の側面図であり、ヘッドピローとして機能するように主パッドから折り畳まれた延長部とともに、図１３の座席パッドアセンブリの主パッドを示す。
【図１９】部分的にリクライニングされた位置にあり、主パッドから分離され、追加の腰支持体のためのピローとして配置された延長部とともに、図１７の座席パッドアセンブリの主パッドを備えた図１７の航空座席の側面図である。
【図２０】図１７〜図１９に示す航空座席よりも長い航空座席の側面図であり、主パッドと延長されて折り畳まれていない状態にある座席パッドアセンブリの延長部とが設けられている。
【発明を実施するための形態】
【００２７】
本発明による座席パッドアセンブリは、主に、図１に示す航空座席１００などの輸送機関の座席での使用を意図している。座席１００は、２つのアームレスト１０４の間に配置された股関節／大腿部支持体１０２を含む。背中支持体１０６は、股関節／大腿部支持体１０２にヒンジ結合され、図１に示す実質的に直立した位置と部分的にリクライニングされた位置（図示せず）との間で移動することができる。一部の航空座席１００の背中支持体１０６は、背中支持体１０６が股関節／大腿部支持体１０２と実質的に同じ平面にある完全にリクライニングされた状態に枢動することもできる。相対的な枢動運動に対応するために、股関節／大腿部支持体１０２と背中支持体１０６との間には必然的に隙間１０８が存在する。座席１００はまた、股関節／大腿部支持体１０２に対してヒンジ結合されたフットレスト１１０を有してもよい。股関節／大腿部支持体１０２とフットレスト１１０との間には隙間１１２が存在する。他の裂け目、折り目及び縫い目１１４、１１６、１１８、１２０が、股関節／大腿部支持体１０２及び背中支持体１０６の他の場所に存在する。
【００２８】
本発明の実施形態による座席パッドアセンブリは、概して、図３〜図７の符号１０によって示される。座席パッドアセンブリ１０は、いくつかの商業的供給元から入手可能な粘弾性フォームと同様であり得る粘弾性フォームからなるか、又は、それを含む内部クッション１２を含む。しかしながら、好ましい内部クッション１２は、約５ｌｂ／ｆｔ３の密度及び約３０〜４０ｌｂｆの硬度を有する粘弾性フォームからなる。硬度は、多くの場合、押込力たわみ（Ｉｎｄｅｎｔａｔｉｏｎ  Ｆｏｒｃｅ  Ｄｅｆｌｅｃｔｉｏｎ、ＩＦＤ）の指標とも呼ばれる。４０ｌｂｆなど、この範囲の上限に近い硬度又はＩＦＤを有する粘弾性フォームは、以下で説明するように、織りカバーを備えた座席パッドアセンブリでの使用によく適している。座席パッドアセンブリ１０はまた、内側カバー１４及び外側カバー１６を含む。内側カバー１４は、粘弾性フォームクッション１２の周りを取り囲むように取り外し可能に配置され、外側カバー１６は、内側カバー１４の周りを取り囲むように取り外し可能に配置される。粘弾性フォームクッション１２は、実質的に長方形であり、互いに反対向きの側面１８、２０と、側面１８と側面２０との間に延びているとともに互いに反対向きの第１及び第２端部２２、２４とを有する。側面１８、２０は、好ましくは１６〜２０インチの範囲内にある幅Ｗだけ離間している。端部２２、２４は、図１に示すように、典型的な輸送機関の座席１００の股関節／大腿部支持体１０２及び背中支持体１０６の長さの合計に実質的に対応する長さＬ１だけ互いに離間している。例えば、粘弾性フォームクッション１２の長さＬ１は、約４２インチであり得る。粘弾性フォームクッション１２の厚さは、約０．７５〜１．００インチであり得る。図５〜図７に示すパッドの厚さは、乗客によって加えられる荷重の影響を示すのを助けるために誇張されている。
【００２９】
内側カバー１４は、寸法的に安定した織布から形成され、粘弾性フォームクッション１２と密接に接触係合してそれを包み込むように寸法合わせされる。内側カバー１４の織布は、巻く又は曲がることができるが、伸縮しない。したがって、内側カバー１４は、乗客の重量に応じて形状を変化させ、乗客の重量が座席パッドアセンブリ１０に直接力を加える場所で粘弾性フォームクッション１２の対応する変形を可能にする。さらに、内側カバー１４は、粘弾性フォームクッション１２の下面を、航空座席１００の裂け目及び割れ目に合わせていくらか変形させることを可能にする。しかしながら、内側カバー１４は、粘弾性フォームクッション１２のスムーズな変形を防止する一方、通常の乗客（例えば、１９５ポンド）に対して快適性を依然として許容し、座席１００の裂け目及び割れ目に乗客の骨盤の坐骨が当たることを防止する。さらに、寸法的に安定した内側カバー１４によって、座席パッドアセンブリは、粘弾性フォームクッションがより硬く密度の高い素材で作製されているように振る舞い、一方、依然として快適性を提供し、乗客は、座席表面の不連続部の上に効果的に浮いた状態又は懸吊された状態になる。内側カバーは、好ましくは、綿糸、ポリエステル糸、又は綿糸とポリエステル糸との混紡糸から織られる。織り内側カバーは、約１１０×７６の最小縦糸及び横糸から約１７３×１１３の最大縦糸及び横糸までの範囲の密度を有する布地で構成されてもよい。さらに、布地の糸繊度は、単糸で３２×３２〜５０×５０の範囲である。さらに、織り内側カバーは、糸密度が約１１０×７６（縦糸と横糸）、単糸の糸繊度が４０〜４５であってもよい。これらの布地から形成された内側カバーは、実証された引張強度を有する。特に背中支持体が股関節／大腿部支持体１０２に対して実質的に直立又は部分的に傾いた姿勢にある状態における股関節／大腿部支持体１０２と背中支持体１０６との間の領域において、内側カバーは、そのような引張強度がなければ柔軟に形状形成する粘弾性フォームに追加の支持を提供する。これに関して、図６に示すように、少なくとも内側カバー１４の上面は、股関節／大腿部支持体１０２から背中支持体１０６まで約４５°〜６０°の角度で延び、実質的に腰領域に対応する乗客の背中の下側領域を支持する。
【００３０】
粘弾性フォームを密に包み込む寸法的に安定した織り内側カバーと、約５ｌｂ／ｆｔ３の比較的高い密度及び約４０ｌｂｆの比較的高い硬度と、の組み合わせは、驚くべきことに、航空座席に高度の快適性及び支持体をもたらすことがわかった。パッドアセンブリは、座席表面の不連続部に十分に適合し、乗客は、座席に当たることなく座席の上に浮いた状態になることができる。
【００３１】
外側カバー１６は、耐汚染性、抗菌性、疎水性であり、内側カバー１４及びその中に包み込まれた粘弾性フォームクッション１２から外側カバー１６を取り外したときに容易に洗浄される材料から形成される。外側カバー１６は、内側カバー１４及びその中に包み込まれた粘弾性フォームクッション１２の容易な取り外しを可能にするジッパー又は他のそのような封止部材を有してもよい。外側カバー１６は、座席に面する外側カバーの表面上に高摩擦領域をさらに含んでもよい。例えば、小さなエラストマー領域１７は、座席と摩擦的に接触係合し、座席１００に配置された座席パッドアセンブリ１０の滑り又は形崩れに抵抗するために、外側カバーの布地に永久的に取り付けられてもよい。あるいは、少なくとも座席１００に面する外側カバー１６の表面は、適切な摩擦特性を有する繊維、又は、少なくとも局所的に座席１００上での滑りを防止する摩擦特性を有するように改良され得る繊維を含んでもよい。座席パッドアセンブリが個人の自動車で使用される場合、外側カバー１６は、座席パッドアセンブリ１０を形崩れ又は撚れなしに所定の位置に保持するために、座席１００の背中支持体１０６の上部周りに、又は、座席１００のヘッドレスト支持体の周りに巻き付けるストラップ、引き紐などを有してもよい。このようなストラップは、図６では参照符号１６Ｓによって概略的に表されている。ストラップ１６Ｓは、好ましくは、座席パッドアセンブリ１０の側縁から約４．０インチ（約１０ｃｍ）内側に離間した座席パッドアセンブリ上の場所から延び、その結果、ストラップ１６Ｓは、自動車の座席の調整可能なヘッドレストの支持体と整列する座席パッドアセンブリ１０上の場所から延びる。
【００３２】
図８及び図９は、圧力マッピングを使用して本発明の効果を図示する。これに関して、図８は、実質的に米国特許第７，４６１，８９４号に開示されているような、ニットカバーを備えた粘弾性座席パッドアセンブリの圧力マッピングの結果を示す。図９は、粘弾性パッドを密に包み込む織りカバーを備えた粘弾性座席パッドアセンブリの圧力マッピングの結果を示す。図８の領域２０２は、米国特許第７，４６１，８９４号の粘弾性パッドアセンブリの領域に対応し、この領域は、飛行機の座席１００の股関節／大腿部支持体１０２の上に乗客の臀部を支持する。図８の領域２０６は、米国特許第７，４６１，８９４号の粘弾性パッドアセンブリの領域に対応し、この領域は、飛行機の座席１００の背中支持体１０６に対して乗客の背中上部を支持する。領域２０８及び図８は、乗客の背中下部又は腰領域と整列した領域に対応する。図８のより陰影の濃い領域は、乗客と従来技術の座席パッドとの間でより高い圧力が加えられる領域に対応する。乗客と従来技術の座席パッドアセンブリとの間に加えられる圧力は、乗客の背中下部又は腰領域に対向する従来技術の座席パッドアセンブリの本質的に存在しない領域である。圧力の相対的な欠如は、ニットカバーの伸縮と、ニットカバー内のこの粘弾性フォームが、飛行機の座席１００の股関節／大腿部支持体１０２と背中支持体１０６との間の隙間１０８に適合する傾向とを反映している。
【００３３】
対照的に、図９の領域３０２は、飛行機の座席１００の股関節／大腿部支持体１０２の上に乗客の臀部を支持する、本発明の粘弾性パッドアセンブリの領域に対応する。図９の領域３０６は、飛行機の座席１００の背中支持体１０６に対して乗客の背中上部を支持する、本発明の粘弾性パッドアセンブリの領域に対応する。図９の領域３０８は、乗客の背中下部又は腰領域と整列した領域に対応する。図９の領域３０８内のより濃い陰影は、粘弾性フォームに密接に接触係合する織りカバーを備えた本発明の座席パッドアセンブリが、上記のハンモック効果により、乗客の背中下部又は腰領域により大きな支持をもたらすことを示す。
【００３４】
従来技術の粘弾性パッドアセンブリの図８の領域２０２の圧力マッピングと本発明の粘弾性パッドアセンブリの図９の領域３０２の圧力マッピングとは、座席１００の臀部及び股関節／大腿部支持体１０２にわたって同様の圧力応答を示し、これによって、本発明の粘弾性パッドに密接に接触係合する織りカバーが、臀部に対向する座席パッドアセンブリの重量支持領域で、従来技術の座席パッドアセンブリの望ましい性能に悪影響を及ぼさないことが示される。結果として、本発明の座席パッドアセンブリは、乗客が航空座席１００の股関節／大腿部支持体１０２の表面の不連続部の上で浮いた状態になることを可能にする。同様に、従来技術の粘弾性パッドアセンブリの図８の領域２０６の圧力マッピングと本発明の粘弾性パッドアセンブリの図９の領域３０６の圧力マッピングとは、座席１００の背中上部及び背中支持体１０６にわたって同様の圧力応答を示し、これによって、本発明の粘弾性パッドに密接に接触係合する織りカバーが、背中上部に対向する座席パッドアセンブリの重量支持領域で、従来技術の座席パッドアセンブリの望ましい性能に悪影響を及ぼさないことが示される。したがって、本発明の座席パッドアセンブリは、従来技術と同様の形式で、乗客が臀部及び背中上部の主要な重量支持領域に対向する座席の表面の不連続部の上で浮いた状態になることを可能にするが、ニットカバーを備えた従来技術の座席パッドアセンブリと比較した場合、背中の重要な腰領域にわたって非常に著しく大きい支持をもたらす。
【００３５】
したがって、粘弾性フォームクッション１２の変形は、乗客の重量によって加えられる力が最大である場所で最大になる。より具体的には、乗客の骨盤領域及び背中上部領域は、座席パッドアセンブリ１０に最大の力を加え、それによって、それらの場所で最大の変形を引き起こす。さらに、粘弾性フォームクッション１２は、上記の場所で乗客に形状的に一致した最大の支持をもたらす。しかしながら、寸法的に安定した織り内側カバー１４は、乗客の骨盤領域と背中上部領域との間の場所で驚くべき利点を達成する。これに関して、骨盤領域及び背中上部領域は、座席１００に対する固定部分又は支持部分を効果的に形成する。内側カバー１４の上面は、これらの固定部分間に延び、粘弾性フォームクッション１２によって発揮されるより少ない支持とともに、座席上の人の腰領域に対して非常に効果的で快適な支持を提供する。この効果は、図６〜図９で腰支持領域３０によって図示されており、腰支持領域３０は、腰支持領域３０に沿った粘弾性フォームクッション１２の変形が大幅に少ないかまったくない場合でも、航空座席１００の表面の不連続部を横切って背中の腰領域に密接に追従して支持する。
【００３６】
図１０〜図２０は、前の図には示されていない追加の特徴を含む本発明の実施形態を示す。本発明の実施形態による座席パッドアセンブリは、概して、図１０〜図２０の４１０によって表される。座席パッドアセンブリ４１０は、主パッド４１２及び延長部４１４を含む。主パッド４１２は、上記と同様の、少なくとも部分的に粘弾性材料から形成されることが好ましい内部フォームクッション４１６を含む。しかしながら、この実施形態の内部フォームクッションは、粘弾性フォームである必要はない。主パッド４１２はまた、内部フォームクッション４１６の周りを取り囲むように配置された少なくとも１つのカバー４１７を含む。少なくとも１つのカバー４１７は、実質的に上記のような織り内側カバー及び外側カバーを含んでもよい。主パッド４１２は、実質的に長方形であり、互いに反対向きの側面４１８、４２０と、側面４１８と側面４２０との間に延びているとともに互いに反対向きの第１及び第２端部４２２、４２４とを有する。側面４１８、４２０は、好ましくは１６〜２０インチの範囲内にある幅Ｗだけ離間している。端部４２２、４２４は、図１に示すように、典型的なエコノミークラスの航空座席１００の股関節／大腿部支持体１０２及び背中支持体１０６の長さの合計に実質的に対応する長さＬ１だけ互いに離間している。例えば、主パッド４１２の長さＬ１は、約４２インチであり得る。可撓性フラップ４２３は、主パッド４１２の第１端部４２２で外側カバー４１７から延びる。
【００３７】
延長部４１４は、同様に、少なくとも部分的に粘弾性材料で形成され得る内部フォームクッション４３６を含み、少なくとも１つのカバー４３７は、延長部４１４の内部フォームクッション４３６を取り囲む。延長部４１４はまた、実質的に長方形であり、本体４１２の幅Ｗに実質的に等しい幅Ｗを定める両側面４３８、４４０を有する。延長部４１４はさらに、約１０〜１２インチであり得る長さＬ２を定める両側の第１及び第２端縁４４２、４４４を有する。可撓性フラップ４４５は、延長部４１４の第２端部４４４で外側カバー４３６から延びる。
【００３８】
本体４１２の第１端部４２２と延長部４１４の第２端部４４４とは、解放可能な接続アセンブリ４４６を形成するように構成される。解放可能な接続アセンブリ４４６は、本体４１２の第１端部４２２で可撓性フラップ４２３を横切って延びるフックアンドループファスナー４５２と、延長部４１４の第２端部４４４で可撓性フラップ４４５を横切って延びるフックアンドループファスナー４５４とを含み得る。
【００３９】
より具体的には、本体４１２の第１端部４２２の可撓性フラップ４２３は、本体４１２の近くの位置で可撓性フラップ４２３を横切って延びるフック型ファスナー４５２Ｈのストリップと、フック型ファスナー４５２Ｈが本体４１２とループ型ファスナー４５２Ｌとの間にあるような位置でフラップを横切って延びるループ型ファスナー４５２Ｌのストリップとを有する。
【００４０】
同様に、延長部４１４の可撓性フラップ４４５は、延長部４１４のパッドに実質的に隣接する位置で可撓性フラップ４４５を横切って延びるフック型ファスナー４５４Ｈのストリップと、フック型ファスナー４５４Ｈが延長部のパッドとループ型ファスナー４５４Ｌと、の間にあるような位置で、フック型ファスナー４５４Ｈが可撓性フラップ４４５を横切って延びるような位置に、可撓性フラップ４４５を横切って延びるループ型ファスナーとを有する。
【００４１】
延長部４１４を本体４１２に取り付ける必要がない場合、本体４１２の可撓性フラップ４２３は折り畳まれ、ループ型ファスナー４５２Ｌは、フック型ファスナー４５２Ｈに解放可能に係合し、可撓性フラップ４２３を折り畳まれた保護位置に解放可能に保持して、フック型ファスナー４５２Ｈが乗客の衣服を損傷しないようにすることができる。同様に、延長部の可撓性フラップ４４５は折り畳まれ、ループ型ファスナー４５４Ｌがフック型ファスナー４５４Ｈに解放可能に係合し、可撓性フラップを折り畳まれた保護位置に解放可能に保持して、フック型ファスナー４５４Ｈが乗客の衣服を損傷又は乗客の皮膚を刺激しないようにすることができる。
【００４２】
延長部４１４が必要な場合、乗客は、それぞれのファスナー４５２Ｈ、４５２Ｌ、４５４Ｈ、４５４Ｌが露出するように、可撓性フラップ４２３、４４５を広げるだけである。次に、フラップは互いに反対の関係で配置され、延長部４１４のループ型ファスナー４５４Ｌは、本体４１２のフック型ファスナー４５２Ｈに押し付けられて係合する。同時に、延長部４１４のフック型ファスナー４５４Ｅｉｇｈｔは、本体４１２のループ型ファスナー４５２Ｌに押し付けられて係合する。その後、延長部が不要であると乗客が判断した場合、乗客は、延長部４１４のファスナー４５４Ｈ、４５４Ｌを本体の対応するファスナー４５２Ｌ、４５２Ｈから外すだけでよい。次に、可撓性フラップ４２３、４４５は、保護位置に折り畳まれ、延長部が必要とされ得るときまでその位置に保持される。
【００４３】
主パッド４１２及び延長部４１４からなる座席パッドアセンブリ４１０は、図１６〜図１８に示す態様で、エコノミークラスの座席１００とともに使用することができる。図示の実施形態における主パッド４１２は、股関節／大腿部支持体１０２と背中支持体１０６とを合わせた長さに実質的に対応する長さＬ１を有する。図１８に示すように、パッドアセンブリ４１０は、延長部４１４が第１端部４２２に隣接する主パッド４１２の表面領域と実質的に面と面が向かい合って係合するように、延長部４１４が主パッド４１２の第１端部４２２から折り畳まれた状態で配置される。この構成では、延長部４１４は、ヘッドピローとして効果的に機能する。
【００４４】
図１９は、延長部４１４が主パッド４１２から分離され、旅行者によって腰支持体として配置されている任意選択の構成を示す。もちろん、この任意選択の変形形態では、延長部４１４は、主パッド４１２から分離されており、まったく使用されていない。エコノミークラスで飛行することがわかっている旅行者は、エコノミークラスで飛行する間の移動に関しては、延長部４１４を自宅に残すことができる。
【００４５】
図２０は、ファーストクラス又はビジネス座席１００ＦＣで使用された座席パッドアセンブリ４１０を示す。ファーストクラス座席１００ＦＣの股関節／大腿部支持体１０２ＦＣと背中支持体１０６ＦＣとを合わせた長さは、延長部４１４の長さＬ２にほぼ等しい長さだけ、エコノミー座席１００の対応する寸法を超える。その結果、座席パッドアセンブリ４１０は、主パッド４１２の実質的に同一平面上の連続部として延びる延長部４１４とともに使用される。この状況では、延長部４１４の自由端縁４４２は、実質的に背中支持体１０６ＦＣの上縁と整列し、一方、本体４１２の第２端部４２４は、フットレスト１１０の前端と整列する。
【図１】
2021526105.tif 000003
【図２】
2021526105.tif 000004
【図３】
2021526105.tif 000005
【図４】
2021526105.tif 000006
【図５】
2021526105.tif 000007
【図６】
2021526105.tif 000008
【図７】
2021526105.tif 000009
【図８】
2021526105.tif 000010
【図９】
2021526105.tif 000011
【図１０】
2021526105.tif 000012
【図１１】
2021526105.tif 000013
【図１２】
2021526105.tif 000014
【図１３】
2021526105.tif 000015
【図１４】
2021526105.tif 000016
【図１５】
2021526105.tif 000017
【図１６】
2021526105.tif 000018
【図１７】
2021526105.tif 000019
【図１８】
2021526105.tif 000020
【図１９】
2021526105.tif 000021
【図２０】
2021526105.tif 000022
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
実質的に水平な股関節／大腿部支持体と、前記股関節／大腿部支持体から角度を付けて延びる背中支持体と、を有し、前記股関節／大腿部支持体と前記背中支持体との間に形成された少なくとも１つの隙間を有する座席と、
前記座席上に取り外し可能に配置されているとともに、少なくとも部分的にフォームから形成されたクッションを有している座席パッドアセンブリと、を備え、前記クッションは、前記座席パッドアセンブリが前記座席に配置されたときに、前記股関節／大腿部支持体から離れた前記座席の前記背中支持体の領域に配置される上端と、前記座席パッドアセンブリが前記座席に配置されたときに、前記座席の前記背中支持体から離れた前記座席の前記股関節／大腿部支持体の領域に配置された底端と、を有しており、前記クッションは、前記上端と前記底端との間で連続的に延設されており、前記座席パッドアセンブリは、前記クッションの前記上端から前記底端まで連続的に延設されているとともに、前記上端から前記底端まで前記クッションを覆いかつ密に包み込んでいる寸法的に安定した織布カバーをさらに有し、前記寸法的に安定した織布カバーは、少なくとも、前記クッションの前記上端から前記底端へ向かう方向において非伸張性であり、前記座席パッドアセンブリは、前記座席パッドアセンブリが前記座席に置かれたときに前記座席パッドアセンブリが滑ることに抗する固定手段を有し、前記クッションは、前記座席に座っている人の少なくとも骨盤領域及び背中上部領域で生じた力に応じて弾性的に変形し、前記寸法的に安定した織布カバーが、前記股関節／大腿部支持体と前記背中支持体との間で規定された少なくとも１つのコーナ領域の上側の位置において前記座席に座っている人を抱えることにより、背中の腰領域に適合して支持する、座席アセンブリ。
【請求項２】
前記織布カバーが内側カバーであり、前記座席パッドアセンブリが、前記内側カバーの上に取り付けられた外側カバーをさらに備える、請求項１に記載の座席アセンブリ。
【請求項３】
前記固定手段は、前記座席パッドアセンブリが前記座席上に配置されたときに、前記座席パッドアセンブリの滑りに抵抗する摩擦特性を備えた前記外側カバー上の領域を含んでいる、請求項２に記載の座席アセンブリ。
【請求項４】
前記内側カバーの織布が、綿−ポリエステル混紡糸を含む織り糸から形成される、請求項２に記載の座席アセンブリ。
【請求項５】
前記内側カバーの前記織り糸が、３２×３２〜５０×５０の単糸の糸繊度を有する、請求項４に記載の座席アセンブリ。
【請求項６】
前記内側カバーの前記織布が、約１１０×７６（縦糸と横糸）の糸密度を有する、請求項５に記載の座席アセンブリ。
【請求項７】
前記織布カバーの織布が、綿糸とポリエステル糸との混紡糸から形成される、請求項１に記載の座席アセンブリ。
【請求項８】
前記織布カバーの織り糸が、３２×３２〜５０×５０の単糸の糸繊度を有する、請求項７に記載の座席アセンブリ。
【請求項９】
前記織布カバーの前記織布が、約１１０×７６（縦糸と横糸）の糸密度を有する、請求項８に記載の座席アセンブリ。
【請求項１０】
前記フォームが、約５ｌｂ／ｆｔ３の密度及び約４０ｌｂｆの硬度を有する、請求項１に記載の座席パッドアセンブリ。
【請求項１１】
前記クッションが、全体的に粘弾性フォームからなる、請求項１に記載の座席アセンブリ。
【請求項１２】
前記座席が自動車の座席であり、前記自動車の座席が、ヘッドレストを有し、前記ヘッドレストは、前記自動車の座席の前記背中支持体に対して前記ヘッドレストの垂直調節を可能にするように構成されたヘッドレスト支持体によって前記背中支持体に取り付けられており、前記座席パッドアセンブリの前記固定手段は、前記自動車の座席の前記背中支持体に前記座席パッドアセンブリの上端を固定するためのストラップを含んでおり、前記ストラップは、前記ヘッドレスト支持体の周りに巻き付けるように配置及び寸法合わせされている、請求項１に記載の座席アセンブリ。
【請求項１３】
前記ストラップが、前記座席パッドアセンブリの両側の側縁から内側に離間した前記座席パッドアセンブリ上の場所から延びる、請求項１２に記載の座席アセンブリ。
【請求項１４】
細長い第１端部を有する第１パッドと、
前記第１パッドの前記第１端部に沿って延びる第１の可撓性フラップと、
細長い第２端部を有する第２パッドと、
前記第２パッドの前記第２端部に沿って延びる第２の可撓性フラップと、
実質的に端部と端部との関係において、前記第１パッド及び前記第２パッドを解放可能に保持するように、前記第１及び第２の可撓性フラップ上にそれぞれ形成された第１及び第２の解放可能に係合可能な接続構造と、
を更に備える、請求項１に記載の座席アセンブリ。
【請求項１５】
前記第１の解放可能に係合可能な構造が、フックアンドループファスナーを含む、請求項１４に記載の座席アセンブリ。
【請求項１６】
前記第１の可撓性フラップが、前記第１の可撓性フラップがそれ自体に折り畳まれて保護位置にあるときに互いに解放可能に係合可能なフック型ファスナー及びループ型ファスナーを有し、前記第２の可撓性フラップが、前記第２の可撓性フラップがそれ自体に折り畳まれて保護位置にあるときに互いに解放可能に係合可能なフック型ファスナー及びループ型ファスナーを有する、請求項１５に記載の座席アセンブリ。
【請求項１７】
前記第１パッド及び前記第２パッドは、粘弾性フォームから形成された第１クッション及び第２クッションを有している、請求項１４に記載の座席アセンブリ。
【請求項１８】
前記クッションは、ゲルを含んでいる、請求項１に記載の座席アセンブリ。
【国際調査報告】
2021526105.tif 000023
2021526105.tif 000024
2021526105.tif 000025